(57)【要約】【課題】炭化水素系溶剤組成物を提供する。【解決手段】総量１００重量％に対して、Ｃ７の飽和炭化水素成分を８０重量％以上および芳香族成分を１重量％以下で含み、下記式１を満たす、炭化水素系溶剤組成物を提供する。  ［式１］【数１】2020196871.tif 000013【選択図】なし【特許請求の範囲】
【請求項１】
総量１００重量％に対して、Ｃ７の飽和炭化水素成分を８０重量％以上および芳香族成分を１重量％以下で含み、下記式１を満たす、炭化水素系溶剤組成物。
［式１］
【数１】
2020196871.tif 000011
（前記式１中、ＷＩＣ７は、前記炭化水素系溶剤組成物の総量１００重量％中の、炭素数が７のイソパラフィンの含量であり、ＷＮＣ７は、前記炭化水素系溶剤組成物の総量１００重量％中の、炭素数が７のノルマルパラフィンの含量である。）
【請求項２】
総量１００重量％に対して、Ｃ５の飽和炭化水素成分を１重量％以下でさらに含む、請求項１に記載の炭化水素系溶剤組成物。
【請求項３】
総量１００重量％に対して、Ｃ８の飽和炭化水素成分を１重量％以下でさらに含む、請求項１に記載の炭化水素系溶剤組成物。
【請求項４】
総量１００重量％に対して、Ｃ７の環状飽和炭化水素成分を３０重量％以上４５重量％以下でさらに含む、請求項１に記載の炭化水素系溶剤組成物。
【請求項５】
総量１００重量％に対して、Ｃ７のノルマルパラフィンを５重量％以下でさらに含む、請求項１に記載の炭化水素系溶剤組成物。
【請求項６】
下記式２をさらに満たす、請求項１に記載の炭化水素系溶剤組成物。
［式２］
【数２】
2020196871.tif 000012
（前記式２中、ＷＩＣは、前記炭化水素系溶剤組成物の総量１００重量％中のイソパラフィンの含量であり、ＷＮは、前記炭化水素系溶剤組成物の総量１００重量％中の環状飽和炭化水素成分の含量である。）
【請求項７】
総量１００重量％に対して、硫黄（ｓｕｌｆｕｒ）を１ｐｐｍ未満でさらに含む、請求項１に記載の炭化水素系溶剤組成物。
【請求項８】
総量１００重量％に対して、Ｃ７の飽和炭化水素成分を８０重量％以上９９．５重量％以下、芳香族成分を０．０００１重量％以上１重量％以下、並びに前記Ｃ７の飽和炭化水素成分および芳香族成分以外の残りの成分を０．４重量％以上１９重量％以下で含む、請求項１に記載の炭化水素系溶剤組成物。
【請求項９】
総量１００重量％に対して、
Ｃ７の飽和炭化水素成分を８０重量％以上９９．５重量％以下、
芳香族成分を０．０００１重量％以上１重量％以下、
Ｃ５の飽和炭化水素成分を０．００１重量％以上１重量％以下、
Ｃ８の飽和炭化水素成分を０．００１重量％以上１重量％以下、および
Ｃ６の飽和炭化水素成分を０．１重量％以上１７重量％以下で含む、請求項１に記載の炭化水素系溶剤組成物。
【請求項１０】
アニリン点が７０℃以下である、請求項１に記載の炭化水素系溶剤組成物。
【請求項１１】
ＡＳＴＭ  Ｄ３５３９に準じて、ｎ−ブチルアセテート（ｎ−ＢｕＡｃ）の蒸発速度を１００とした時に、蒸発速度が２５〜４５である、請求項１に記載の炭化水素系溶剤組成物。
【発明の詳細な説明】
【技術分野】
【０００１】
本発明は、炭化水素系溶剤組成物に関する。
【背景技術】
【０００２】
産業用洗浄溶剤、天然樹脂および合成樹脂重合溶剤、接着剤およびテープ溶剤、医薬反応溶剤として、炭化水素系溶剤が用いられている。
【０００３】
電子装置の生産および使用時に洗浄用に用いられる炭化水素系溶媒は、不純物の除去のために十分な溶解力を有するとともに、洗浄後の除去のために優れた乾燥性を有するべきであり、人体有害性が低いべきである。
【０００４】
そのためには、溶解力の間接的な尺度であるアニリン点が、洗浄に十分な程度に低くなければならず、十分な乾燥性を有するべきである。そのために、炭化水素系溶剤に含まれる構成成分の調節および構成成分間の含量の調節が必要である。
【０００５】
また、人体有害性を低減するために、臭気を誘発し、且つ人体有害性のある芳香族成分を除去する必要がある。
【発明の概要】
【発明が解決しようとする課題】
【０００６】
本発明の一態様は、優れた溶解力および乾燥性を有するとともに、臭気がなく、人体有害性が少ない炭化水素系溶剤組成物を提供することを目的とする。
【課題を解決するための手段】
【０００７】
本発明の一態様は、総量１００重量％に対して、Ｃ７の飽和炭化水素成分を８０重量％以上および芳香族成分を１重量％以下で含み、下記式１を満たす、炭化水素系溶剤組成物を提供する。
【０００８】
［式１］
【数１】
2020196871.tif 000002
【０００９】
式１中、ＷＩＣ７は、炭化水素系溶剤組成物の総量１００重量％中の、炭素数が７のイソパラフィンの含量であり、ＷＮＣ７は、炭化水素系溶剤組成物の総量１００重量％中の、炭素数が７のノルマルパラフィンの含量である。
【００１０】
本発明の一態様に係る炭化水素系溶剤組成物は、総量１００重量％に対して、Ｃ５の飽和炭化水素成分を１重量％以下で含んでもよい。
【００１１】
本発明の一態様に係る炭化水素系溶剤組成物は、総量１００重量％に対して、Ｃ８の飽和炭化水素成分を１重量％以下で含んでもよい。
【００１２】
本発明の一態様に係る炭化水素系溶剤組成物は、総量１００重量％に対して、Ｃ７の環状飽和炭化水素成分を３０重量％以上４５重量％以下で含んでもよい。
【００１３】
本発明の一態様に係る炭化水素系溶剤組成物は、総量１００重量％に対して、Ｃ７のノルマルパラフィンを５重量％以下で含んでもよい。
【００１４】
本発明の一態様に係る炭化水素系溶剤組成物は、下記式２をさらに満たしてもよい。
【００１５】
［式２］
【数２】
2020196871.tif 000003
【００１６】
式２中、ＷＩＣは、炭化水素系溶剤組成物の総量１００重量％中のイソパラフィンの含量であり、ＷＮは、炭化水素系溶剤組成物の総量１００重量％中の環状飽和炭化水素成分の含量である。
【００１７】
本発明の一態様に係る炭化水素系溶剤組成物は、総量１００重量％中に硫黄（ｓｕｌｆｕｒ）を１ｐｐｍ未満で含んでもよい。
【００１８】
本発明の一態様に係る炭化水素系溶剤組成物は、総量１００重量％に対して、Ｃ７の飽和炭化水素成分を８０重量％以上９９．５重量％以下、芳香族成分を０．０００１重量％以上１重量％以下、並びにＣ７の飽和炭化水素成分および芳香族成分以外の残りの成分を０．４重量％以上１９重量％以下で含んでもよい。
【００１９】
本発明の一態様に係る炭化水素系溶剤組成物は、総量１００重量％に対して、Ｃ７の飽和炭化水素成分を８０重量％以上９９．５重量％以下、芳香族成分を０．０００１重量％以上１重量％以下、Ｃ５の飽和炭化水素成分を０．００１重量％以上１重量％以下、Ｃ８の飽和炭化水素成分を０．００１重量％以上１重量％以下、およびＣ６の飽和炭化水素成分を０．１重量％以上１７重量％以下で含んでもよい。
【００２０】
本発明の一態様に係る炭化水素系溶剤組成物は、アニリン点が７０℃以下であってもよい。
【００２１】
本発明の一態様に係る炭化水素系溶剤組成物は、ＡＳＴＭ  Ｄ３５３９に準じてｎ−ブチルアセテート（ｎ−ＢｕＡｃ）の蒸発速度を１００とした時に、蒸発速度が２５〜４５であってもよい。
【発明の効果】
【００２２】
本発明の一態様は、優れた溶解力および乾燥性を有するとともに、臭気がなく、人体有害性が少ない炭化水素系溶剤組成物を提供する。
【発明を実施するための形態】
【００２３】
他に定義しない限り、本明細書において用いられる全ての用語（技術および科学的用語を含む）は、本発明が属する技術分野において通常の知識を有する者に共通して理解され得る意味で用いられる。明細書の全体において、ある部分がある構成要素を「含む」としたときに、これは、特に反対の記載がない限り、他の構成要素を除くのではなく、他の構成要素をさらに含み得ることを意味する。また、単数形は、文章で特に言及しない限り、複数形も含む。
【００２４】
本明細書において、「％」は、特に他に定義しない限り、重量％を意味する。
【００２５】
本発明の一態様は、優れた溶解力および乾燥性を有するとともに、臭気がなく、人体有害性が少ない炭化水素系溶剤組成物に関し、
総量１００重量％に対して、Ｃ７の飽和炭化水素成分を８０重量％以上および芳香族成分を１重量％以下で含み、下記式１を満たす、炭化水素系溶剤組成物を提供する。
【００２６】
［式１］
【数３】
2020196871.tif 000004
【００２７】
式１中、ＷＩＣ７は、炭化水素系溶剤組成物の総量１００重量％中の、炭素数が７のイソパラフィンの含量であり、ＷＮＣ７は、炭化水素系溶剤組成物の総量１００重量％中の、炭素数が７のノルマルパラフィンの含量である。
【００２８】
本発明の一態様に係る炭化水素系溶剤組成物は、Ｃ７の飽和炭化水素成分を８０重量％以上で含み、且つＣ７のイソパラフィンおよびＣ７のノルマルパラフィン（すなわち、ノルマルヘプタン）の割合が式１を満たすことで、産業用洗浄溶剤などの産業用溶剤として通常用いられるＣ７の飽和炭化水素成分を多量で含み、有機物質に対する優れた溶解性を有し、優れた乾燥性を有する炭化水素系溶剤組成物を提供することができる。
【００２９】
また、Ｃ７のイソパラフィンをＣ７のノルマルパラフィンに比べて過量で含むことで、溶剤の匂いがまろやかになり、蒸発速度に優れる。
【００３０】
また、中枢神経系異常などを起こして人体に有害なノルマルヘキサンを少量で含み、且つ発がん性物質である芳香族成分を１重量％以下で含むことで、人体有害性が低く、臭気が少なくて、使用時における安全性を向上させることができる。
【００３１】
そのため、産業用洗浄溶剤、天然樹脂および合成樹脂重合溶剤、接着剤およびテープ溶剤、医薬反応溶剤として使用可能である。
【００３２】
式１の
【数４】
2020196871.tif 000005
は、必ずこれに制限されるものではないが、より具体的に、１０以上８０以下、さらに具体的には、２０以上６０以下、４０以上８０以下、または５０以上７０以下であってもよい。
【００３３】
本発明の一態様に係る炭化水素系溶剤組成物は、必ずこれに制限されるものではないが、式１を満たす範囲で、総量１００重量％に対して、Ｃ７のイソパラフィンを１０重量％以上６０重量％以下、およびＣ７のノルマルパラフィンを０．１重量％以上５重量％以下で含んでもよい。
【００３４】
より具体的には、総量１００重量％に対して、Ｃ７のイソパラフィンを３０重量％以上６０重量％以下、およびＣ７のノルマルパラフィンを０．５重量％以上３重量％以下で含んでもよく、さらに具体的には、Ｃ７のイソパラフィンを５０重量％以上５５重量％以下、およびＣ７のノルマルパラフィンを０．８重量％以上１重量％以下で含んでもよい。
【００３５】
式１を満たし、且つＣ７のノルマルパラフィンの含量が上記の範囲を満たすことで、溶剤の匂いがまろやかになり、蒸発速度に優れるとともに、人体有害性および臭気が低減されることができる。
【００３６】
本発明の一態様に係る炭化水素系溶剤組成物は、製造過程で不可避に残存することになる硫黄（ｓｕｌｆｕｒ）成分を含み得るが、溶剤の全重量中における硫黄成分の含量は１ｐｐｍ未満であってもよい。
【００３７】
溶剤中に硫黄成分が１ｐｐｍ未満で含まれることで、特有の臭気を発する硫黄成分の含有量が少なく、溶剤の臭気が少なくなることができる。
【００３８】
本発明の一態様に係る炭化水素系溶剤組成物は、総量１００重量％に対して、Ｃ７の飽和炭化水素成分を８０重量％以上９９．５重量％以下、芳香族成分を０．０００１重量％以上１重量％以下、並びにＣ７の飽和炭化水素成分および芳香族成分以外の残りの成分を０．４重量％以上１９重量％以下で含んでもよい。
【００３９】
ここで、Ｃ７の炭化水素成分および芳香族成分以外の残りの成分は、Ｃ５の飽和炭化水素成分、Ｃ６の飽和炭化水素成分、およびＣ８の飽和炭化水素成分を含んでもよい。
【００４０】
具体的に、本発明の一態様に係る炭化水素系溶剤組成物は、Ｃ５の飽和炭化水素成分を、総量中に１重量％以下で含んでもよい。より具体的には、０．５重量％以下、０．１重量％以下、または０．０１重量％以下で含んでもよい。
【００４１】
Ｃ５の飽和炭化水素成分は、他の炭化水素成分に比べて相対的に発火性が大きいが、本発明の一態様に係る炭化水素系溶剤組成物は、Ｃ５の飽和炭化水素成分を非常に少なく含むか、実質的に含まない。これにより、産業用洗浄溶剤、天然樹脂および合成樹脂重合溶剤、接着剤およびテープ溶剤、医薬反応溶剤などとして用いられる際に、火事危険性が非常に減少され、安全性を向上させることができる。
【００４２】
本発明の一態様に係る炭化水素系溶剤組成物は、Ｃ８の飽和炭化水素成分を総量中に１重量％以下で含んでもよい。より具体的には、０．５重量％以下、または０．３重量％以下で含んでもよい。
【００４３】
Ｃ８の飽和炭化水素成分は、相対的により小さい炭素数の飽和炭化水素成分に比べて蒸発速度が遅いため、Ｃ８の飽和炭化水素成分が溶剤に多く含まれる場合、溶剤の蒸発速度が減少され、乾燥性が低下し得る。
【００４４】
本発明の一態様に係る炭化水素系溶剤組成物は、Ｃ８の飽和炭化水素成分を非常に少なく含むか、実質的に含まないことで、産業用洗浄溶剤、天然樹脂および合成樹脂重合溶剤、接着剤およびテープ溶剤、医薬反応溶剤などとして用いられる際に、十分な乾燥性を有することができる。
【００４５】
本発明の一態様に係る炭化水素系溶剤組成物は、Ｃ７の飽和炭化水素成分中のＣ７の環状飽和炭化水素成分（Ｃ７のナフテン（ｎａｐｈｔｈｅｎｅ）成分）を、総量中に３０重量％以上４５重量％以下で含んでもよい。より具体的には、３５重量％以上４５重量％以下で含んでもよい。
【００４６】
Ｃ７の環状飽和炭化水素成分を上記のような含量で含むことで、環状飽和炭化水素の優れた溶解力を十分に活用することができるため、炭化水素系溶剤組成物の優れた溶解力が実現されることができる。一方、本発明の一態様に係る炭化水素系溶剤組成物は、下記式２をさらに満たしてもよい。
【００４７】
［式２］
【数５】
2020196871.tif 000006
【００４８】
式２中、ＷＩＣは、炭化水素系溶剤組成物の総量１００重量％中のイソパラフィンの含量であり、ＷＮは、炭化水素系溶剤組成物の総量１００重量％中の環状飽和炭化水素成分の含量である。
【００４９】
環状飽和炭化水素は、イソパラフィンに比べて溶解力に優れるが、臭気を誘発し、人体に有害であるため、十分な溶解力および乾燥性が実現され、且つ臭気および人体有害性を適正レベル以下に維持するための調節が必要である。
【００５０】
本発明の一態様に係る炭化水素系溶剤組成物に含まれるイソパラフィンと環状飽和炭化水素成分の含量が前記式２を満たすことで、適正レベルの匂いおよび有害性に調節しながら、ナフテンの優れた溶解力およびイソパラフィンの乾燥性を活用することができる。
【００５１】
本発明の一態様に係る炭化水素系溶剤組成物は、必ずこれに制限されるものではないが、前記式２を満たす範囲内で、総量中に、イソパラフィンを４０重量％以上６０重量％以下、および環状飽和炭化水素を４０重量％以上６０重量％以下で含んでもよい。より具体的には、イソパラフィンを４５重量％以上５５重量％以下、および環状飽和炭化水素を４５重量％以上５５重量％以下で含んでもよい。
【００５２】
本発明の一態様に係る炭化水素系溶剤組成物は、総量１００重量％に対して、Ｃ７の飽和炭化水素成分を８０重量％以上９９．５重量％以下、芳香族成分を０．０００１重量％以上１重量％以下、Ｃ５の飽和炭化水素成分を０．００１重量％以上１重量％以下、Ｃ８の飽和炭化水素成分を０．００１重量％以上１重量％以下、およびＣ６の飽和炭化水素成分を０．１重量％以上１７重量％以下で含んでもよい。
【００５３】
より具体的には、総量１００重量％に対して、Ｃ７の飽和炭化水素成分を８５重量％以上９９．５重量％以下、芳香族成分を０．０００１重量％以上０．１重量％以下、Ｃ５の飽和炭化水素成分を０．００１重量％以上０．５重量％以下、Ｃ８の飽和炭化水素成分を０．００１重量％以上０．５重量％以下、およびＣ６の飽和炭化水素成分を０．１重量％以上１４重量％以下で含んでもよい。
【００５４】
さらに具体的には、総量１００重量％に対して、Ｃ７の飽和炭化水素成分を９４重量％以上９９．５重量％以下、芳香族成分を０．０００１重量％以上０．１重量％以下、Ｃ５の飽和炭化水素成分を０．００１重量％以上０．５重量％以下、Ｃ８の飽和炭化水素成分を０．００１重量％以上０．５重量％以下、およびＣ６の飽和炭化水素成分を０．１重量％以上５重量％以下で含んでもよい。
【００５５】
本発明の一態様に係る炭化水素系溶剤組成物において、Ｃ７の飽和炭化水素成分は、特に制限されるものではないが、２，２，３−トリメチルブタン（２，２，３−ｔｒｉｍｅｔｈｙｌｂｕｔａｎｅ）、２，２−ジメチルペンタン（２，２−ｄｉｍｅｔｈｙｌｐｅｎｔａｎｅ）、２，３−ジメチルペンタン（２，３−ｄｉｍｅｔｈｙｌｐｅｎｔａｎｅ）、２，４−ジメチルペンタン（２，４−ｄｉｍｅｔｈｙｌｐｅｎｔａｎｅ）、３，３−ジメチルペンタン（３，３−ｄｉｍｅｔｈｙｌｐｅｎｔａｎｅ）、３−エチルペンタン（３−ｅｔｈｙｌｐｅｎｔａｎｅ）、２−メチルヘキサン（２−ｍｅｔｈｙｌｈｅｘａｎｅ）、３−メチルヘキサン（３−ｍｅｔｈｙｌｈｅｘａｎｅ）、ｎ−ヘプタン（ｎ−ｈｅｐｔａｎｅ）、エチルシクロペンタン（ｅｔｈｙｌｃｙｃｌｏｐｅｎｔａｎｅ）、メチルシクロヘキサン（ｍｅｔｈｙｌｃｙｃｌｏｈｅｘａｎｅ）、１，１−ジメチルシクロペンタン（１，１−ｄｉｍｅｔｈｙｌｃｙｃｌｏｐｅｎｔａｎｅ）、１ｃ，３−ジメチルシクロペンタン（１ｃ，３−ｄｉｍｅｔｈｙｌｃｙｃｌｏｐｅｎｔａｎｅ）、１ｔ，３−ジメチルシクロペンタン（１ｔ，３−ｄｉｍｅｔｈｙｌｃｙｃｌｏｐｅｎｔａｎｅ）、および２ｔ，２−ジメチルシクロペンタン（２ｔ，２−ｄｉｍｅｔｈｙｌｃｙｃｌｏｐｅｎｔａｎｅ）から選択される何れか１つまたは２つ以上の混合物を含んでもよい。
【００５６】
Ｃ７の飽和炭化水素成分中のイソパラフィンは、特に制限されるものではないが、２，２，３−トリメチルブタン（２，２，３−ｔｒｉｍｅｔｈｙｌｂｕｔａｎｅ）、２，２−ジメチルペンタン（２，２−ｄｉｍｅｔｈｙｌｐｅｎｔａｎｅ）、２，３−ジメチルペンタン（２，３−ｄｉｍｅｔｈｙｌｐｅｎｔａｎｅ）、２，４−ジメチルペンタン（２，４−ｄｉｍｅｔｈｙｌｐｅｎｔａｎｅ）、３，３−ジメチルペンタン（３，３−ｄｉｍｅｔｈｙｌｐｅｎｔａｎｅ）、３−エチルペンタン（３−ｅｔｈｙｌｐｅｎｔａｎｅ）、２−メチルヘキサン（２−ｍｅｔｈｙｌｈｅｘａｎｅ）、および３−メチルヘキサン（３−ｍｅｔｈｙｌｈｅｘａｎｅ）から選択される何れか１つまたは２つ以上の混合物を含んでもよい。
【００５７】
Ｃ７の飽和炭化水素成分中の環状飽和炭化水素は、特に制限されるものではないが、エチルシクロペンタン（ｅｔｈｙｌｃｙｃｌｏｐｅｎｔａｎｅ）、メチルシクロヘキサン（ｍｅｔｈｙｌｃｙｃｌｏｈｅｘａｎｅ）、１，１−ジメチルシクロペンタン（１，１−ｄｉｍｅｔｈｙｌｃｙｃｌｏｐｅｎｔａｎｅ）、１ｃ，３−ジメチルシクロペンタン（１ｃ，３−ｄｉｍｅｔｈｙｌｃｙｃｌｏｐｅｎｔａｎｅ）、１ｔ，３−ジメチルシクロペンタン（１ｔ，３−ｄｉｍｅｔｈｙｌｃｙｃｌｏｐｅｎｔａｎｅ）、および２ｔ，２−ジメチルシクロペンタン（２ｔ，２−ｄｉｍｅｔｈｙｌｃｙｃｌｏｐｅｎｔａｎｅ）から選択される何れか１つまたは２つ以上の混合物を含んでもよい。
【００５８】
本発明の一態様に係る炭化水素系溶剤組成物において、Ｃ６の飽和炭化水素は、特に制限されるものではないが、２−メチルペンタン（２−ｍｅｔｈｙｌｐｅｎｔａｎｅ）、３−メチルペンタン（３−ｍｅｔｈｙｌｐｅｎｔａｎｅ）、２，２−ジメチルブタン（２，２−ｄｉｍｅｔｈｙｌｂｕｔａｎｅ）、２，３−ジメチルブタン（２，３−ｄｉｍｅｔｈｙｌｂｕｔａｎｅ）、シクロヘキサン（ｃｙｃｌｏｈｅｘａｎｅ）、ノルマルヘキサン（ｎ−ｈｅｘａｎｅ）、および１−メチルシクロペンタン（１−ｍｅｔｈｙｌｃｙｃｌｏｐｅｎｔａｎｅ）から選択される何れか１つまたは２つ以上の混合物を含んでもよい。
【００５９】
本発明の一態様に係る炭化水素系溶剤組成物において、Ｃ８の飽和炭化水素は、特に制限されるものではないが、２，２，４−トリメチルペンタン（２，２，４−ｔｒｉｍｅｔｈｙｌｐｅｎｔａｎｅ）、２，３，４−トリメチルペンタン（２，３，４−ｔｒｉｍｅｔｈｙｌｐｅｎｔａｎｅ）、ノルマルオクタン（ｎ−ｏｃｔａｎｅ）、１，１−ジメチルシクロヘキサン（１，１−ｄｉｍｅｔｈｙｌｃｙｃｌｏｈｅｘａｎｅ）、１，３−ジメチルシクロヘキサン（１，３−ｄｉｍｅｔｈｙｌｃｙｃｌｏｈｅｘａｎｅ）、およびエチルシクロヘキサン（ｅｔｈｙｌｃｙｃｌｏｈｅｘａｎｅ）から選択される何れか１つまたは２つ以上の混合物を含んでもよい。
【００６０】
本発明の一態様に係る炭化水素系溶剤組成物において、芳香族成分は、特に制限されるものではないが、ベンゼン（ｂｅｎｚｅｎｅ）、トルエン（ｔｏｌｕｅｎｅ）、キシレン（ｘｙｌｅｎｅ）、ナフタレン（ｎａｐｈｔａｌｅｎｅ）、およびアントラセン（ａｎｔｈｒａｃｅｎｅ）から選択される何れか１つまたは２つ以上の混合物を含んでもよい。
【００６１】
本発明の一態様に係る炭化水素系溶剤組成物は、ＡＳＴＭ  Ｄ６１１に準じて測定した混合アニリン点（ｍｉｘｅｄ  ａｎｉｌｉｎｅ  ｐｏｉｎｔ）が７０℃以下であってもよい。低い混合アニリン点は、有機物質に対する高い溶解力を意味する。本発明の一態様に係る炭化水素系溶剤組成物は、７０℃以下、より具体的には、５０℃以下の混合アニリン点を有していて、溶解力に優れる。
【００６２】
本発明の一態様に係る炭化水素系溶剤組成物は、ＡＳＴＭ  Ｄ３５３９に準じて、ｎ−ブチルアセテート（ｎ−ＢｕＡｃ）の蒸発速度を１００とした時の蒸発速度が２５以上４５以下であってもよい。本発明の一態様に係る炭化水素系溶剤組成物は、高い蒸発力を有しているため、産業用洗浄溶剤などの産業用溶剤として採択されるに好適である。
【００６３】
本発明の一態様に係る炭化水素系溶剤組成物は、初留点６０℃以上および乾点１０５℃以下の蒸留範囲を有してもよい。
【００６４】
本発明の一態様に係る炭化水素系溶剤組成物は、例えば、ベンゼン、トルエン、およびキシレンを製造するための芳香族処理工程（ＢＴＸ  ｐｒｏｃｅｓｓ）の原料として用いられるナフサ（ｎａｐｈｔｈａ）から製造されることができる。
【００６５】
具体的に、芳香族処理工程の前処理工程として通常知られている脱硫工程を経たナフサから、蒸留によりＣ７の成分を抽出し、水素化工程により芳香族成分を除去し、疑似移動床式吸着分離装置（Ｓｉｍｕｌａｔｅｄ  Ｍｏｖｉｎｇ  Ｂｅｄ、ＳＭＢ）などの吸着工程によりノルマルパラフィンを除去することで製造されることができる。
【００６６】
但し、本発明の一態様に係る炭化水素系溶剤組成物の製造方法はこれに限定されず、本発明の一態様に係る炭化水素系溶剤組成物の組成を満たすように該当成分を配合するなど、当業者が容易に製造できる方法であれば制限されずに可能である。
【００６７】
以下、本発明の好ましい実施例および比較例を記載する。しかし、下記実施例は、本発明の好ましい一実施例にすぎず、本発明が下記実施例に限定されるものではない。
【００６８】
［実施例および比較例］
脱硫工程を経た脱硫ナフサを原料とし、蒸留によりＣ６以下およびＣ８以上の成分を除去し、これを水添反応器に投入して芳香族成分を除去した後、疑似移動床式吸着分離装置（Ｓｉｍｕｌａｔｅｄ  Ｍｏｖｉｎｇ  Ｂｅｄ、ＳＭＢ）を用いてノルマルパラフィン成分を除去して炭化水素系溶剤を製造した（実施例１）。
【００６９】
実施例１の炭化水素系溶剤の組成は、下記表１のとおりである。
【００７０】
また、実施例１の溶剤の臭気の程度を評価するために、異なる組成を有する溶剤（比較例１）、および沸点範囲９３〜１５６℃のＣ６〜Ｃ１０脂肪族留分として、硫黄（ｓｕｌｆｕｒ）の含量が２．５ｐｐｍであるナフサ（ｎａｐｈｔｈａ）留分（比較例２）を準備した。
【００７１】
比較例１の溶剤は、該当分類の炭化水素成分を配合して製造し、詳細な組成は表２のとおりである。
【００７２】
【表１】
2020196871.tif 000007
【００７３】
【表２】
2020196871.tif 000008
【００７４】
［実験例１］
実施例１の溶剤に対して下記のように物性を測定し、表３にまとめた。
【００７５】
１．混合アニリン点
ＡＳＴＭ  Ｄ６１１に準じて測定した。
【００７６】
２．蒸留範囲（ＩＢＰ〜ＤＰ）
ＡＳＴＭ  Ｄ８６に準じて初留点（ＩＢＰ、ｉｎｉｔｉａｌ  ｂｏｉｌｉｎｇ  ｐｏｉｎｔ）から乾点（ＤＰ、ｄｒｙｉｎｇ  ｐｏｉｎｔ）の範囲を測定した。
【００７７】
３．蒸発速度
ＡＳＴＭ  Ｄ３５３９に準じて測定し、ｎ−ブチルアセテート（ｎ−ＢｕＡｃ）の蒸発速度を１００とした時の蒸発速度を測定した。
【００７８】
【表３】
2020196871.tif 000009
【００７９】
［実験例２］
実施例１の臭気を評価するために、実施例１、比較例１、および比較例２の溶剤に対して、石油化学技術分野に携わっている１０人の研究員を対象としてアンケート評価を行った。
【００８０】
具体的に、各溶剤を１０ｍＬずつ準備し、対象者に２秒間匂いを嗅がせ、下記基準に従って点数を付与した。
【００８１】
３点：拒否感がない
２点：拒否感が普通
１点：拒否感が強い
【００８２】
各溶剤に対する評価点数の平均を表４にまとめた。
【００８３】
【表４】
2020196871.tif 000010
【００８４】
表３および表４に示されたように、本発明の炭化水素溶剤は、アニリン点が３５℃であって優れた溶解力を有し、蒸発速度にも優れるとともに、臭気が少ないことを確認することができる。
【００８５】
また、本発明の炭化水素溶剤は、芳香族成分とノルマルパラフィン成分が非常に少ないため、実質的に芳香族成分とノルマルパラフィン成分が除去されて臭気がなく、人体有害性が非常に小さい。
【００８６】
また、Ｃ８の飽和炭化水素成分を少なく含有して優れた乾燥性を有する。
【００８７】
また、Ｃ７の環状飽和炭化水素成分を全溶剤中に３０重量％以上４５重量％以下で含むことで、優れた溶解力を示すとともに、イソパラフィン成分と環状炭化水素成分が適切な割合に維持されるため、人体有害性が小さく、且つ優れた溶解力が維持されることができる。